【手続補正書】
【提出日】平成31年2月12日(2019.2.12)
【手続補正１】
【補正対象書類名】特許請求の範囲
【補正対象項目名】全文
【補正方法】変更
【補正の内容】
【特許請求の範囲】
【請求項１】
複数の近接サービス（ＰｒｏＳｅ）リレー候補から選択された第１のＰｒｏＳｅリレー候補を用いた、ユーザ機器（ＵＥ）におけるワイヤレス通信のための方法であって、
（ｉ）しきい値ＰｒｏＳｅリレーネットワーク間基準信号受信電力（ＲＳＲＰ）またはしきい値ＰｒｏＳｅリレーネットワーク間基準信号受信品質（ＲＳＲＱ）および（ｉｉ）しきい値ＰｒｏＳｅリレーＵＥ間ＲＳＲＰの組合せを備えるリレー無線レイヤの状態を用いて前記ＵＥを構成することと、
ネットワークへのアクセスを与える前記複数のＰｒｏＳｅリレー候補の各々から少なくとも１つのＰｒｏＳｅ発見メッセージを受信することと、
前記受信されたＰｒｏＳｅ発見メッセージを前記リレー無線レイヤの状態に関して評価することと、ここにおいて、前記評価することは、前記第１のＰｒｏＳｅリレー候補の前記ＰｒｏＳｅ発見メッセージが、前記複数のＰｒｏＳｅリレー候補のうちの少なくとも１つの他のＰｒｏＳｅリレー候補から受信される少なくとも１つの他のＰｒｏＳｅ発見メッセージよりも良く前記リレー無線レイヤの状態を満たすとき、前記複数の前記ＰｒｏＳｅリレー候補の中で最も適切であるとして前記第１のＰｒｏＳｅリレー候補を識別することを備える、
前記複数のＰｒｏＳｅリレー候補から前記第１のＰｒｏＳｅリレー候補を選択することと、
前記第１のＰｒｏＳｅリレー候補を介して前記ネットワークに接続することと、
を備える、方法。
【請求項２】
前記少なくとも１つのＰｒｏＳｅ発見メッセージがリレーオファーメッセージを備え、ここにおいて、前記受信されたＰｒｏＳｅ発見メッセージを前記リレー無線レイヤの状態に関して評価することが、
前記リレーオファーメッセージを前記リレー無線レイヤの状態に関して評価すること、
を備える、請求項１に記載の方法。
【請求項３】
前記少なくとも１つのＰｒｏＳｅ発見メッセージが、マルチメディアブロードキャストマルチキャストサービス（ＭＢＭＳ）リレー情報メッセージをさらに備え、前記方法は、
前記ＭＢＭＳリレー情報メッセージが、前記ＵＥによって望まれる少なくとも１つのＭＢＭＳを識別すると決定することと、
前記ＵＥによって望まれる前記少なくとも１つのＭＢＭＳを識別する前記ＭＢＭＳリレー情報メッセージに少なくとも部分的に基づいて、前記第１のＰｒｏＳｅリレー候補をさらに選択することと、
をさらに備える、請求項２に記載の方法。
【請求項４】
前記ＭＢＭＳリレー情報メッセージが、少なくとも、Ｅ−ＵＴＲＡＮセル識別情報（ＥＣＩ）、または少なくとも１つの一時モバイルグループ識別情報（ＴＭＧＩ）、または少なくとも１つのＰｒｏＳｅグループ識別子（ＩＤ）、あるいはそれらの組合せを備える、請求項３に記載の方法。
【請求項５】
前記リレー無線レイヤの状態が、前記ネットワークにアクセスするためのリレー選択ポリシーを示すプロビジョニングされたＰｒｏＳｅリレー指示（ＰＲＩ）、または無線の有効性の状態、あるいはそれらの組合せのうちの少なくとも１つをさらに備える、請求項１に記載の方法。
【請求項６】
前記無線の有効性の状態は、少なくとも、前記リレー無線レイヤの状態の各しきい値状態が満たされる必要があることを示す第１の無線の有効性の状態、または前記リレー無線レイヤの状態の少なくとも１つのしきい値状態が満たされる必要があることを示す第２の無線の有効性の状態を備える、請求項５に記載の方法。
【請求項７】
前記プロビジョニングされたＰＲＩと前記ＰｒｏＳｅ発見メッセージ中で受信されたＰＲＩとの間のビットごとの論理ＡＮＤを実行すること、
をさらに備える、請求項５に記載の方法。
【請求項８】
リレーＵＥ間ＲＳＲＰを測定することと、
前記測定されたリレーＵＥ間ＲＳＲＰを前記しきい値リレーＵＥ間ＲＳＲＰと比較することと、
をさらに備える、請求項５に記載の方法。
【請求項９】
前記リレー無線レイヤの状態が、少なくとも１つの上位レイヤの状態をさらに備える、請求項１に記載の方法。
【請求項１０】
前記少なくとも１つの上位レイヤの状態が、少なくとも、パブリックランドモバイルネットワーク識別子（ＰＬＭＮ  ＩＤ）、またはＰｒｏＳｅリレーＵＥ  ＩＤ、またはリレー接続性情報、またはリレーステータス情報、またはサービス継続性サポートのインジケータ、あるいはそれらの組合せを備える、請求項９に記載の方法。
【請求項１１】
（ｉ）前記しきい値リレーネットワーク間ＲＳＲＰまたはしきい値リレーネットワーク間ＲＳＲＱおよび（ｉｉ）しきい値リレーＵＥ間ＲＳＲＰへの前記少なくとも１つのリレー無線レイヤの状態の準拠を決定すると、前記少なくとも１つの上位レイヤの状態を前記リレー無線レイヤの状態に関して評価すること、
をさらに備える、請求項９に記載の方法。
【請求項１２】
複数の近接サービス（ＰｒｏＳｅ）リレー候補から選択された第１のＰｒｏＳｅリレー候補を用いた、ユーザ機器（ＵＥ）におけるワイヤレス通信のための装置であって、
（ｉ）しきい値ＰｒｏＳｅリレーネットワーク間基準信号受信電力（ＲＳＲＰ）またはしきい値ＰｒｏＳｅリレーネットワーク間基準信号受信品質（ＲＳＲＱ）および（ｉｉ）しきい値ＰｒｏＳｅリレーＵＥ間ＲＳＲＰの組合せを備えるリレー無線レイヤの状態を用いて前記ＵＥを構成するための手段と、
ネットワークへのアクセスを与える前記複数のＰｒｏＳｅリレー候補の各々から少なくとも１つのＰｒｏＳｅ発見メッセージを受信するための手段と、
前記受信されたＰｒｏＳｅ発見メッセージを前記リレー無線レイヤの状態に関して評価するための手段と、ここにおいて、評価するめの前記手段は、第１のＰｒｏＳｅリレー候補の前記ＰｒｏＳｅ発見メッセージが、前記複数のＰｒｏＳｅリレー候補のうちの少なくとも１つの他のＰｒｏＳｅリレー候補から受信される少なくとも１つの他のＰｒｏＳｅ発見メッセージよりも良く前記リレー無線レイヤの状態を満たすとき、前記複数の前記ＰｒｏＳｅリレー候補の中で最も適切であるとして前記第１のＰｒｏＳｅリレー候補を識別するための手段を備える、
前記複数のＰｒｏＳｅリレー候補から前記第１のＰｒｏＳｅリレー候補を選択するための手段と、
前記第１のＰｒｏＳｅリレー候補を介して前記ネットワークに接続するための手段と、
を備える、装置。
【請求項１３】
近接サービス（ＰｒｏＳｅ）リレー候補におけるワイヤレス通信のための方法であって、
ネットワークから、ＰｒｏＳｅリレー指示（ＰＲＩ）を受信することと、
少なくとも、リレーネットワーク間基準信号受信電力（ＲＳＲＰ）またはリレーネットワーク間基準信号受信品質（ＲＳＲＱ）を測定することと、
前記ＰＲＩを含む少なくとも１つのＰｒｏＳｅ発見メッセージをブロードキャストすることと、ここにおいて、前記少なくとも１つのＰｒｏＳｅ発見メッセージは、少なくとも、前記測定されたリレーネットワーク間ＲＳＲＰまたは前記測定されたリレーネットワーク間ＲＳＲＱの指示を備える、
ユーザ機器（ＵＥ）からリレー接続要求を受信することと、ここにおいて、前記ＵＥは、前記ＰｒｏＳｅリレー候補の前記ＰｒｏＳｅ発見メッセージが、複数のＰｒｏＳｅリレー候補のうちの少なくとも１つの他のＰｒｏＳｅリレー候補から前記ＵＥによって受信される少なくとも１つの他のＰｒｏＳｅ発見メッセージよりも良く前記リレー無線レイヤの状態を満たすとき、前記複数のＰｒｏＳｅリレー候補の中で最も適切であるとして前記ＰｒｏＳｅリレー候補を識別した、
を備える、方法。
【請求項１４】
近接サービス（ＰｒｏＳｅ）リレー候補におけるワイヤレス通信のための装置であって、
ネットワークから、ＰｒｏＳｅリレー指示（ＰＲＩ）を受信するための手段と、
少なくとも、リレーネットワーク間基準信号受信電力（ＲＳＲＰ）およびリレーネットワーク間基準信号受信品質（ＲＳＲＱ）を測定するための手段と、
前記ＰＲＩを含む少なくとも１つのＰｒｏＳｅ発見メッセージをブロードキャストするための手段と、ここにおいて、前記少なくとも１つのＰｒｏＳｅ発見メッセージは、少なくとも、前記測定されたリレーネットワーク間ＲＳＲＰまたは前記測定されたリレーネットワーク間ＲＳＲＱの指示を備える、
ユーザ機器（ＵＥ）からリレー接続要求を受信するための手段と、ここにおいて、前記ＵＥは、前記ＰｒｏＳｅリレー候補の前記ＰｒｏＳｅ発見メッセージが、複数のＰｒｏＳｅリレー候補のうちの少なくとも１つの他のＰｒｏＳｅリレー候補から前記ＵＥによって受信される少なくとも１つの他のＰｒｏＳｅ発見メッセージよりも良く前記リレー無線レイヤの状態を満たすとき、前記複数のＰｒｏＳｅリレー候補の中で最も適切であるとして前記ＰｒｏＳｅリレー候補を識別した、
を備える、装置。
【請求項１５】
ワイヤレス通信のためのコンピュータ実行可能コードを記憶する非一時的コンピュータ可読媒体であって、前記コードが、請求項１−１１および１３のうちのいずれか一項に記載の方法を実行するようにプロセッサによって実行可能である、非一時的コンピュータ可読媒体。
【手続補正２】
【補正対象書類名】明細書
【補正対象項目名】０１４４
【補正方法】変更
【補正の内容】
【０１４４】
[00157]本開示についての以上の説明は、当業者が本開示を作成または使用することができるように与えられたものである。本開示の様々な変更は当業者には容易に明らかとなり、本明細書で定義される一般原理は、本開示の範囲から逸脱することなく他の変形形態に適用され得る。したがって、本開示は、本明細書で説明された例および設計に限定されるべきでなく、本明細書で開示された原理および新規の特徴に合致する最も広い範囲を与えられるべきである。
以下に本願発明の当初の特許請求の範囲に記載された発明を付記する。
［Ｃ１］
ユーザ機器（ＵＥ）におけるワイヤレス通信のための方法であって、
リレー選択ルールを用いて前記ＵＥを構成することと、
ネットワークへのアクセスを与える複数の近接サービス（ＰｒｏＳｅ）リレー候補の各々から少なくとも１つのＰｒｏＳｅ発見メッセージを受信することと、
前記受信されたＰｒｏＳｅ発見メッセージを前記リレー選択ルールに関して評価することと、
前記評価することに少なくとも部分的に基づいて、前記複数のＰｒｏＳｅリレー候補から第１のＰｒｏＳｅリレー候補を選択することと、
前記第１のＰｒｏＳｅリレー候補を介して前記ネットワークに接続することと、
を備える、方法。
［Ｃ２］
前記受信されたＰｒｏＳｅ発見メッセージを前記リレー選択ルールに関して評価することが、
前記第１のＰｒｏＳｅリレー候補から受信されたＰｒｏＳｅ発見メッセージを、前記複数のＰｒｏＳｅリレー候補のうちの少なくとも１つの他のＰｒｏＳｅリレー候補から受信された少なくとも１つの他のＰｒｏＳｅ発見メッセージよりも大きい程度、前記リレー選択ルールに準拠するものとして識別すること、
を備える、Ｃ１に記載の方法。
［Ｃ３］
前記少なくとも１つのＰｒｏＳｅ発見メッセージがリレーオファーメッセージを備え、ここにおいて、前記受信されたＰｒｏＳｅ発見メッセージを前記リレー選択ルールに関して評価することが、
前記リレーオファーメッセージを前記リレー選択ルールに関して評価すること、
を備える、Ｃ１に記載の方法。
［Ｃ４］
前記少なくとも１つのＰｒｏＳｅ発見メッセージが、マルチメディアブロードキャストマルチキャストサービス（ＭＢＭＳ）リレー情報メッセージをさらに備え、前記方法は、
前記ＭＢＭＳリレー情報メッセージが、前記ＵＥによって望まれる少なくとも１つのＭＢＭＳを識別すると決定することと、
前記ＵＥによって望まれる前記少なくとも１つのＭＢＭＳを識別する前記ＭＢＭＳリレー情報メッセージに少なくとも部分的に基づいて、前記第１のＰｒｏＳｅリレー候補をさらに選択することと、
をさらに備える、Ｃ３に記載の方法。
［Ｃ５］
前記ＭＢＭＳリレー情報メッセージが、少なくとも、Ｅ−ＵＴＲＡＮセル識別情報（ＥＣＩ）、または少なくとも１つの一時モバイルグループ識別情報（ＴＭＧＩ）、または少なくとも１つのＰｒｏＳｅグループ識別子（ＩＤ）、あるいはそれらの組合せを備える、Ｃ４に記載の方法。
［Ｃ６］
前記リレー選択ルールが、少なくとも１つのリレー無線レイヤの状態を備える、Ｃ１に記載の方法。
［Ｃ７］
前記少なくとも１つのリレー無線レイヤの状態が、少なくとも、しきい値リレーネットワーク間基準信号受信電力（ＲＳＲＰ）、またはしきい値リレーネットワーク間基準信号受信品質（ＲＳＲＱ）、またはしきい値リレーＵＥ間ＲＳＲＰ、または前記ネットワークにアクセスするためのリレー選択ポリシーを示すプロビジョニングされたＰｒｏＳｅリレー指示（ＰＲＩ）、または無線の有効性の状態、あるいはそれらの組合せを備える、Ｃ６に記載の方法。
［Ｃ８］
前記無線の有効性の状態は、少なくとも、前記少なくとも１つのリレー無線レイヤの状態の各しきい値状態が満たされる必要があることを示す第１の無線の有効性の状態、または前記少なくとも１つのリレー無線レイヤの状態の少なくとも１つのしきい値状態が満たされる必要があることを示す第２の無線の有効性の状態を備える、Ｃ７に記載の方法。
［Ｃ９］
前記プロビジョニングされたＰＲＩと前記ＰｒｏＳｅ発見メッセージ中で受信されたＰＲＩとの間のビットごとの論理ＡＮＤを実行すること、
をさらに備える、Ｃ７に記載の方法。
［Ｃ１０］
リレーＵＥ間ＲＳＲＰを測定することと、
前記測定されたリレーＵＥ間ＲＳＲＰを前記しきい値リレーＵＥ間ＲＳＲＰと比較することと、
をさらに備える、Ｃ７に記載の方法。
［Ｃ１１］
前記プロビジョニングされたＰＲＩと前記ＰｒｏＳｅ発見メッセージ中で受信されたＰＲＩとの間のビットごとの論理ＡＮＤを実行すること、
をさらに備える、Ｃ７に記載の方法。
［Ｃ１２］
前記リレー選択ルールが、少なくとも１つの上位レイヤの状態をさらに備える、Ｃ６に記載の方法。
［Ｃ１３］
前記少なくとも１つの上位レイヤの状態が、少なくとも、パブリックランドモバイルネットワーク識別子（ＰＬＭＮ ＩＤ）、またはＰｒｏＳｅリレーＵＥ ＩＤ、またはリレー接続性情報、またはリレーステータス情報、またはサービス継続性サポートのインジケータ、あるいはそれらの組合せを備える、Ｃ１２に記載の方法。
［Ｃ１４］
前記リレー選択ルールへの前記少なくとも１つのリレー無線レイヤの状態の準拠を決定すると、前記少なくとも１つの上位レイヤの状態を前記リレー選択ルールに関して評価すること、
をさらに備える、Ｃ１２に記載の方法。
［Ｃ１５］
前記リレー選択ルールへの前記少なくとも１つの上位レイヤの状態の準拠を決定すると、前記少なくとも１つのリレー無線レイヤの状態を前記リレー選択ルールに関して評価すること、
をさらに備える、Ｃ１２に記載の方法。
［Ｃ１６］
前記ＵＥが、ＰｒｏＳｅ機能による前記リレー選択ルールに従って構成された、Ｃ１に記載の方法。
［Ｃ１７］
ユーザ機器（ＵＥ）におけるワイヤレス通信のための装置であって、
リレー選択ルールを用いて前記ＵＥを構成するための手段と、
ネットワークへのアクセスを与える複数の近接サービス（ＰｒｏＳｅ）リレー候補の各々から少なくとも１つのＰｒｏＳｅ発見メッセージを受信するための手段と、
前記受信されたＰｒｏＳｅ発見メッセージを前記リレー選択ルールに関して評価するための手段と、
前記評価することに少なくとも部分的に基づいて、前記複数のＰｒｏＳｅリレー候補から第１のＰｒｏＳｅリレー候補を選択するための手段と、
前記第１のＰｒｏＳｅリレー候補を介して前記ネットワークに接続するための手段と、
を備える、装置。
［Ｃ１８］
前記受信されたＰｒｏＳｅ発見メッセージを前記リレー選択ルールに関して評価するための前記手段が、
前記第１のＰｒｏＳｅリレー候補から受信されたＰｒｏＳｅ発見メッセージを、前記複数のＰｒｏＳｅリレー候補のうちの少なくとも１つの他のＰｒｏＳｅリレー候補から受信された少なくとも１つの他のＰｒｏＳｅ発見メッセージよりも大きい程度、前記リレー選択ルールに準拠するものとして識別するための手段、
を備える、Ｃ１７に記載の装置。
［Ｃ１９］
前記少なくとも１つのＰｒｏＳｅ発見メッセージがリレーオファーメッセージを備え、ここにおいて、前記受信されたＰｒｏＳｅ発見メッセージを前記リレー選択ルールに関して評価するための前記手段が、
前記リレーオファーメッセージを前記リレー選択ルールに関して評価するための手段を備える、Ｃ１７に記載の装置。
［Ｃ２０］
前記少なくとも１つのＰｒｏＳｅ発見メッセージが、マルチメディアブロードキャストマルチキャストサービス（ＭＢＭＳ）リレー情報メッセージをさらに備え、前記装置は、
前記ＭＢＭＳリレー情報メッセージが、前記ＵＥによって望まれる少なくとも１つのＭＢＭＳを識別すると決定するための手段と、
前記ＵＥによって望まれる前記少なくとも１つのＭＢＭＳを識別する前記ＭＢＭＳリレー情報メッセージに少なくとも部分的に基づいて、前記第１のＰｒｏＳｅリレー候補をさらに選択するための手段と、
をさらに備える、Ｃ１９に記載の装置。
［Ｃ２１］
前記ＭＢＭＳリレー情報メッセージが、少なくとも、Ｅ−ＵＴＲＡＮセル識別情報（ＥＣＩ）、または少なくとも１つの一時モバイルグループ識別情報（ＴＭＧＩ）、または少なくとも１つのＰｒｏＳｅグループ識別子（ＩＤ）、あるいはそれらの組合せを備える、Ｃ２０に記載の装置。
［Ｃ２２］
前記リレー選択ルールが、少なくとも１つのリレー無線レイヤの状態を備える、Ｃ１７に記載の装置。
［Ｃ２３］
前記少なくとも１つのリレー無線レイヤの状態が、少なくとも、しきい値リレーネットワーク間基準信号受信電力（ＲＳＲＰ）、またはしきい値リレーネットワーク間基準信号受信品質（ＲＳＲＱ）、またはしきい値リレーＵＥ間ＲＳＲＰ、または前記ネットワークにアクセスするためのリレー選択ポリシーを示すプロビジョニングされたＰｒｏＳｅリレー指示（ＰＲＩ）、または無線の有効性の状態、あるいはそれらの組合せを備える、Ｃ２２に記載の装置。
［Ｃ２４］
前記無線の有効性の状態は、少なくとも、前記少なくとも１つのリレー無線レイヤの状態の各しきい値状態が満たされる必要があることを示す第１の無線の有効性の状態、または前記少なくとも１つのリレー無線レイヤの状態の少なくとも１つのしきい値状態が満たされる必要があることを示す第２の無線の有効性の状態を備える、Ｃ２３に記載の装置。
［Ｃ２５］
前記プロビジョニングされたＰＲＩと前記ＰｒｏＳｅ発見メッセージ中で受信されたＰＲＩとの間のビットごとの論理ＡＮＤを実行するための手段、
をさらに備える、Ｃ２３に記載の装置。
［Ｃ２６］
リレーＵＥ間ＲＳＲＰを測定するための手段と、
前記測定されたリレーＵＥ間ＲＳＲＰを前記しきい値リレーＵＥ間ＲＳＲＰと比較するための手段と、
をさらに備える、Ｃ２３に記載の装置。
［Ｃ２７］
前記プロビジョニングされたＰＲＩと前記ＰｒｏＳｅ発見メッセージ中で受信されたＰＲＩとの間のビットごとの論理ＡＮＤを実行するための手段、
をさらに備える、Ｃ２３に記載の装置。
［Ｃ２８］
前記リレー選択ルールが、少なくとも１つの上位レイヤの状態をさらに備える、Ｃ２２に記載の装置。
［Ｃ２９］
前記少なくとも１つの上位レイヤの状態が、少なくとも、パブリックランドモバイルネットワーク識別子（ＰＬＭＮ ＩＤ）、またはＰｒｏＳｅリレーＵＥ ＩＤ、またはリレー接続性情報、またはリレーステータス情報、またはサービス継続性サポートのインジケータ、あるいはそれらの組合せを備える、Ｃ２８に記載の装置。
［Ｃ３０］
前記リレー選択ルールへの前記少なくとも１つのリレー無線レイヤの状態の準拠を決定すると、前記少なくとも１つの上位レイヤの状態を前記リレー選択ルールに関して評価するための手段、
をさらに備える、Ｃ２８に記載の装置。
［Ｃ３１］
前記リレー選択ルールへの前記少なくとも１つの上位レイヤの状態の準拠を決定すると、前記少なくとも１つのリレー無線レイヤの状態を前記リレー選択ルールに関して評価するための手段、
をさらに備える、Ｃ２８に記載の装置。
［Ｃ３２］
前記ＵＥが、ＰｒｏＳｅ機能による前記リレー選択ルールに従って構成された、Ｃ１７に記載の装置。
［Ｃ３３］
ユーザ機器（ＵＥ）におけるワイヤレス通信のための装置であって、
プロセッサと、
前記プロセッサと電子通信しているメモリと、
前記メモリに記憶された命令と
を備え、前記命令が、
リレー選択ルールを用いて前記ＵＥを構成することと、
ネットワークへのアクセスを与える複数の近接サービス（ＰｒｏＳｅ）リレー候補の各々から少なくとも１つのＰｒｏＳｅ発見メッセージを受信することと、
前記受信されたＰｒｏＳｅ発見メッセージを前記リレー選択ルールに関して評価することと、
前記評価することに少なくとも部分的に基づいて、前記複数のＰｒｏＳｅリレー候補から第１のＰｒｏＳｅリレー候補を選択することと、
前記第１のＰｒｏＳｅリレー候補を介して前記ネットワークに接続することと、
を行うように前記プロセッサによって実行可能である、装置。
［Ｃ３４］
前記受信されたＰｒｏＳｅ発見メッセージを前記リレー選択ルールに関して評価するように前記プロセッサによって実行可能な前記命令が、
前記第１のＰｒｏＳｅリレー候補から受信されたＰｒｏＳｅ発見メッセージを、前記複数のＰｒｏＳｅリレー候補のうちの少なくとも１つの他のＰｒｏＳｅリレー候補から受信された少なくとも１つの他のＰｒｏＳｅ発見メッセージよりも大きい程度、前記リレー選択ルールに準拠するものとして識別する、
ように前記プロセッサによって実行可能な命令を備える、Ｃ３３に記載の装置。
［Ｃ３５］
前記少なくとも１つのＰｒｏＳｅ発見メッセージがリレーオファーメッセージを備え、ここにおいて、前記受信されたＰｒｏＳｅ発見メッセージを前記リレー選択ルールに関して評価するように前記プロセッサによって実行可能な前記命令が、
前記リレーオファーメッセージを前記リレー選択ルールに関して評価する、
ように前記プロセッサによって実行可能な命令を備える、Ｃ３３に記載の装置。
［Ｃ３６］
前記少なくとも１つのＰｒｏＳｅ発見メッセージが、マルチメディアブロードキャストマルチキャストサービス（ＭＢＭＳ）リレー情報メッセージをさらに備え、ここにおいて、前記命令は、
前記ＭＢＭＳリレー情報メッセージが、前記ＵＥによって望まれる少なくとも１つのＭＢＭＳを識別すると決定することと、
前記ＵＥによって望まれる前記少なくとも１つのＭＢＭＳを識別する前記ＭＢＭＳリレー情報メッセージに少なくとも部分的に基づいて、前記第１のＰｒｏＳｅリレー候補をさらに選択することと、
を行うように前記プロセッサによって実行可能である、Ｃ３５に記載の装置。
［Ｃ３７］
前記ＭＢＭＳリレー情報メッセージが、少なくとも、Ｅ−ＵＴＲＡＮセル識別情報（ＥＣＩ）、または少なくとも１つの一時モバイルグループ識別情報（ＴＭＧＩ）、または少なくとも１つのＰｒｏＳｅグループ識別子（ＩＤ）、あるいはそれらの組合せを備える、Ｃ３６に記載の装置。
［Ｃ３８］
前記リレー選択ルールが、少なくとも１つのリレー無線レイヤの状態を備える、Ｃ３３に記載の装置。
［Ｃ３９］
前記少なくとも１つのリレー無線レイヤの状態が、少なくとも、しきい値リレーネットワーク間基準信号受信電力（ＲＳＲＰ）、またはしきい値リレーネットワーク間基準信号受信品質（ＲＳＲＱ）、またはしきい値リレーＵＥ間ＲＳＲＰ、または前記ネットワークにアクセスするためのリレー選択ポリシーを示すプロビジョニングされたＰｒｏＳｅリレー指示（ＰＲＩ）、または無線の有効性の状態、あるいはそれらの組合せを備える、Ｃ３８に記載の装置。
［Ｃ４０］
前記無線の有効性の状態は、少なくとも、前記少なくとも１つのリレー無線レイヤの状態の各しきい値状態が満たされる必要があることを示す第１の無線の有効性の状態、または前記少なくとも１つのリレー無線レイヤの状態の少なくとも１つのしきい値状態が満たされる必要があることを示す第２の無線の有効性の状態を備える、Ｃ３９に記載の装置。
［Ｃ４１］
前記命令が、
前記プロビジョニングされたＰＲＩと前記ＰｒｏＳｅ発見メッセージ中で受信されたＰＲＩとの間のビットごとの論理ＡＮＤを実行する、
ように前記プロセッサによって実行可能である、Ｃ３９に記載の装置。
［Ｃ４２］
前記命令が、
リレーＵＥ間ＲＳＲＰを測定することと、
前記測定されたリレーＵＥ間ＲＳＲＰを前記しきい値リレーＵＥ間ＲＳＲＰと比較することと、
を行うように前記プロセッサによって実行可能である、Ｃ３９に記載の装置。
［Ｃ４３］
前記命令が、
前記プロビジョニングされたＰＲＩと前記ＰｒｏＳｅ発見メッセージ中で受信されたＰＲＩとの間のビットごとの論理ＡＮＤを実行する、
ように前記プロセッサによって実行可能である、Ｃ３９に記載の装置。
［Ｃ４４］
前記リレー選択ルールが、少なくとも１つの上位レイヤの状態をさらに備える、Ｃ３８に記載の装置。
［Ｃ４５］
ワイヤレス通信のためのコンピュータ実行可能コードを記憶する非一時的コンピュータ可読媒体であって、前記コードが、
リレー選択ルールを用いてユーザ機器（ＵＥ）を構成することと、
ネットワークへのアクセスを与える複数の近接サービス（ＰｒｏＳｅ）リレー候補の各々から少なくとも１つのＰｒｏＳｅ発見メッセージを受信することと、
前記受信されたＰｒｏＳｅ発見メッセージを前記リレー選択ルールに関して評価することと、
前記評価することに少なくとも部分的に基づいて、前記複数のＰｒｏＳｅリレー候補から第１のＰｒｏＳｅリレー候補を選択することと、
前記第１のＰｒｏＳｅリレー候補を介して前記ネットワークに接続することと、
を行うようにプロセッサによって実行可能である、非一時的コンピュータ可読媒体。
［Ｃ４６］
前記受信されたＰｒｏＳｅ発見メッセージを前記リレー選択ルールに関して評価するように前記プロセッサによって実行可能な前記コードが、
前記第１のＰｒｏＳｅリレー候補から受信されたＰｒｏＳｅ発見メッセージを、前記複数のＰｒｏＳｅリレー候補のうちの少なくとも１つの他のＰｒｏＳｅリレー候補から受信された少なくとも１つの他のＰｒｏＳｅ発見メッセージよりも大きい程度、前記リレー選択ルールに準拠するものとして識別する、
ように前記プロセッサによって実行可能なコードを備える、Ｃ４５に記載の非一時的コンピュータ可読媒体。
［Ｃ４７］
前記少なくとも１つのＰｒｏＳｅ発見メッセージがリレーオファーメッセージを備え、ここにおいて、前記受信されたＰｒｏＳｅ発見メッセージを前記リレー選択ルールに関して評価するように前記プロセッサによって実行可能な前記コードが、
前記リレーオファーメッセージを前記リレー選択ルールに関して評価する、
ように前記プロセッサによって実行可能なコードを備える、Ｃ４５に記載の非一時的コンピュータ可読媒体。
［Ｃ４８］
前記少なくとも１つのＰｒｏＳｅ発見メッセージが、マルチメディアブロードキャストマルチキャストサービス（ＭＢＭＳ）リレー情報メッセージをさらに備え、ここにおいて、前記コードは、
前記ＭＢＭＳリレー情報メッセージが、前記ＵＥによって望まれる少なくとも１つのＭＢＭＳを識別すると決定することと、
前記ＵＥによって望まれる前記少なくとも１つのＭＢＭＳを識別する前記ＭＢＭＳリレー情報メッセージに少なくとも部分的に基づいて、前記第１のＰｒｏＳｅリレー候補をさらに選択することと、
を行うように前記命令プロセッサによって実行可能である、Ｃ４７に記載の非一時的コンピュータ可読媒体。
［Ｃ４９］
近接サービス（ＰｒｏＳｅ）リレー候補におけるワイヤレス通信のための方法であって、
ネットワークから、ＰｒｏＳｅリレー指示（ＰＲＩ）を受信することと、
前記ＰＲＩを含む少なくとも１つのＰｒｏＳｅ発見メッセージをブロードキャストすることと、
ユーザ機器（ＵＥ）のリレー選択ルールへの前記少なくとも１つのＰｒｏＳｅ発見メッセージの準拠に少なくとも部分的に基づいて前記ＵＥからリレー接続要求を受信することと、
を備える、方法。
［Ｃ５０］
第１の通信リンクを介して前記ネットワークと通信することと、
少なくとも、リレーネットワーク間基準信号受信電力（ＲＳＲＰ）、またはリレーネットワーク間基準信号受信品質（ＲＳＲＱ）、あるいはそれらの組合せを測定することと、 少なくとも、前記少なくとも１つのＰｒｏＳｅ発見メッセージ中の前記測定されたリレーネットワーク間ＲＳＲＰ、または前記測定されたリレーネットワーク間ＲＳＲＱ、あるいはそれらの組合せを示すことと、
をさらに備える、Ｃ４９に記載の方法。
［Ｃ５１］
前記少なくとも１つのＰｒｏＳｅ発見メッセージがリレーオファーメッセージを備える、Ｃ４９に記載の方法。
［Ｃ５２］
前記少なくとも１つのＰｒｏＳｅ発見メッセージが、マルチメディアブロードキャストマルチキャストサービス（ＭＢＭＳ）リレー情報メッセージをさらに備える、Ｃ５１に記載の方法。
［Ｃ５３］
前記少なくとも１つのＰｒｏＳｅ発見メッセージが、少なくとも１つのリレー無線レイヤの状態と少なくとも１つの上位レイヤの状態とを備える、Ｃ４９に記載の方法。
［Ｃ５４］
前記ＰＲＩが、システム情報ブロック（ＳＩＢ）またはユニキャスト無線リソース制御（ＲＲＣ）メッセージ中で受信される、Ｃ４９に記載の方法。
［Ｃ５５］
近接サービス（ＰｒｏＳｅ）リレー候補におけるワイヤレス通信のための装置であって、
ネットワークから、ＰｒｏＳｅリレー指示（ＰＲＩ）を受信するための手段と、
前記ＰＲＩを含む少なくとも１つのＰｒｏＳｅ発見メッセージをブロードキャストするための手段と、
ユーザ機器（ＵＥ）のリレー選択ルールへの前記少なくとも１つのＰｒｏＳｅ発見メッセージの準拠に少なくとも部分的に基づいて前記ＵＥからリレー接続要求を受信するための手段と、
を備える、装置。
［Ｃ５６］
第１の通信リンクを介して前記ネットワークと通信するための手段と、
少なくとも、リレーネットワーク間基準信号受信電力（ＲＳＲＰ）、またはリレーネットワーク間基準信号受信品質（ＲＳＲＱ）、あるいはそれらの組合せを測定するための手段と、
少なくとも、前記少なくとも１つのＰｒｏＳｅ発見メッセージ中の前記測定されたリレーネットワーク間ＲＳＲＰ、または前記測定されたリレーネットワーク間ＲＳＲＱ、あるいはそれらの組合せを示すための手段と、
をさらに備える、Ｃ５５に記載の装置。
［Ｃ５７］
前記少なくとも１つのＰｒｏＳｅ発見メッセージがリレーオファーメッセージを備える、Ｃ５５に記載の装置。
［Ｃ５８］
前記少なくとも１つのＰｒｏＳｅ発見メッセージが、マルチメディアブロードキャストマルチキャストサービス（ＭＢＭＳ）リレー情報メッセージをさらに備える、Ｃ５７に記載の装置。
［Ｃ５９］
前記少なくとも１つのＰｒｏＳｅ発見メッセージが、少なくとも１つのリレー無線レイヤの状態と少なくとも１つの上位レイヤの状態とを備える、Ｃ５５に記載の装置。
［Ｃ６０］
前記ＰＲＩが、システム情報ブロック（ＳＩＢ）またはユニキャスト無線リソース制御（ＲＲＣ）メッセージ中で受信される、Ｃ５５に記載の装置。
［Ｃ６１］
近接サービス（ＰｒｏＳｅ）リレー候補におけるワイヤレス通信のための装置であって、
プロセッサと、
前記プロセッサと電子通信しているメモリと、
前記メモリに記憶された命令と、
を備え、前記命令が、
ネットワークから、ＰｒｏＳｅリレー指示（ＰＲＩ）を受信することと、
前記ＰＲＩを含む少なくとも１つのＰｒｏＳｅ発見メッセージをブロードキャストすることと、
ユーザ機器（ＵＥ）のリレー選択ルールへの前記少なくとも１つのＰｒｏＳｅ発見メッセージの準拠に少なくとも部分的に基づいて前記ＵＥからリレー接続要求を受信することと、
を行うように前記プロセッサによって実行可能である、装置。
［Ｃ６２］
前記命令が、
第１の通信リンクを介して前記ネットワークと通信することと、
少なくとも、リレーネットワーク間基準信号受信電力（ＲＳＲＰ）、またはリレーネットワーク間基準信号受信品質（ＲＳＲＱ）、あるいはそれらの組合せを測定することと、
少なくとも、前記少なくとも１つのＰｒｏＳｅ発見メッセージ中の前記測定されたリレーネットワーク間ＲＳＲＰ、または前記測定されたリレーネットワーク間ＲＳＲＱ、あるいはそれらの組合せを示すことと、
を行うように前記プロセッサによって実行可能である、Ｃ６１に記載の装置。
［Ｃ６３］
前記少なくとも１つのＰｒｏＳｅ発見メッセージが、少なくとも１つのリレー無線レイヤの状態と少なくとも１つの上位レイヤの状態とを備える、Ｃ６１に記載の装置。
［Ｃ６４］
ワイヤレス通信のためのコンピュータ実行可能コードを記憶する非一時的コンピュータ可読媒体であって、前記コードが、
ネットワークから、ＰｒｏＳｅリレー指示（ＰＲＩ）を受信することと、
前記ＰＲＩを含む少なくとも１つのＰｒｏＳｅ発見メッセージをブロードキャストすることと、
ユーザ機器（ＵＥ）のリレー選択ルールへの前記少なくとも１つのＰｒｏＳｅ発見メッセージの準拠に少なくとも部分的に基づいて前記ＵＥからリレー接続要求を受信することと、
を行うようにプロセッサによって実行可能である、非一時的コンピュータ可読媒体。